(57)【要約】      （修正有）【課題】ノズルを袋内で移動させること無く、ノズルを経由して袋内の内容物を取り出すことが出来て、しかも、部品管理の労力を小さくすることが出来るような袋内の内容物取り出し方法の提供。【解決手段】人力で破断可能な接続部により接続された先端部１と取付部２を有するノズルの接続部４を破断する工程と、内容物が充填された袋体の隅部を切断する工程と、先端部１の大径側端部を袋体の切断された隅部に配置し、袋体の隅部近傍の領域を先端部１の大径側端部に巻き付ける工程を有する。【選択図】図１
2013212872.tif 000002
【特許請求の範囲】
【請求項１】
人力で破断可能な接続部により接続された先端部と取付部を有するノズルの当該接続部を破断する工程と、
内容物が充填された袋体の隅部を切断する工程と、
先端部の大径側端部を袋体の切断された隅部に配置し、袋体の隅部近傍の領域を先端部の大径側端部に巻き付ける工程と、
袋体の隅部近傍の領域を先端部の大径側端部に巻き付けた状態で、取付部を先端部の小径側から被せて袋体側に移動して、先端部を袋体に固定する工程、を有することを特徴とする内容物取り出し方法。
【請求項２】
先端部の大径側端部近傍の外周面及び取付部の内周面に突起が形成されている請求項１の内容物取り出し方法。
【発明の詳細な説明】
【技術分野】
【０００１】
本発明は、密閉された袋（例えば、ビニール袋）内に充填されている内容物（充填物）を当該袋外に取り出す技術に関する。
【背景技術】
【０００２】
流体状の建築資材（液体状の建築資材、粉体状の建築資材等）を作業現場まで輸送するのに際しては、当該流体状の建築資材を袋（例えば、ビニール袋等）に充填し、当該袋を密閉することにより、流体状の建築資材の漏出及び施工現場周辺の汚染を防止している。
また、流体状の食材（例えば、生クリーム等）についても、例えばビニール袋等に充填し、当該袋を密閉して、調理場等に搬送することがよく行われている。
【０００３】
流体状の建築資材を作業現場で所定の領域に注入するに際して、当該作業現場に大型の注入用機械等を搬入することが困難な場合には、流体状の建築資材を、充填されている袋から直接、所定の領域に注入することが望ましい。
また、調理場等においても、例えば洋菓子製造に際して、例えば生クリームの様な流体状の食材を使用する場合には、流体状の食材が充填されている袋から、直接、当該流体状の食材（例えば、生クリーム）を絞り出す（取り出す）ことがある。
そのような場合には、内容物（流体状の建築資材や食材）が充填されている袋にノズルを取り付けて、当該ノズルを経由して袋内の内容物を取り出し（あるいは絞り出し）ている。
【０００４】
従来、密閉された袋内の充填物（内容物）をノズル経由で取り出す（あるいは絞り出す）に際しては、先ず、図１９に示すように、密閉された袋３０Ｊの上辺、或いは上辺の一部をはさみＳで切除する。次いで、図２０に示すように、切除した当該上辺からノズル１０Ｊを手Ｈで袋３０Ｊ内に挿入する。
そして、下辺の１コーナーをはさみＳで切除し（図２１）、図２２で示すように、袋３０Ｊ内からノズル１０Ｊの先端を、はさみＳで切除したコーナーから袋３０Ｊの外に突出させる（図２２）。なお、図２０の手順と図２１の手順とを入れ替えて行なわれることもある。
しかし、係る手法を用いた場合には、ノズル１０Ｊを袋３０Ｊ内に挿入する作業によって、建築資材により、手Ｈやノズル１０Ｊが汚れてしまう。また、袋３０Ｊに、特に流動性の高い建築資材が充填されている場合には、袋３０Ｊにおけるノズル１０Ｊを取り付ける箇所（例えば、袋３０Ｊの上辺あるいは下辺のコーナー部）を切除した際に、当該切除した箇所から袋３０Ｊ外に材料が流出してしまうという問題も存在する。
【０００５】
また、袋３０Ｊ内に食材が充填されている場合には、ノズル１０Ｊが袋３０Ｊ内に侵入して移動することにより、ノズル１０Ｊの外周部に付着した雑菌が袋３０Ｊ内に侵入し、繁殖してしまう恐れがあり、不衛生になる可能性が存在する。
そのため、密閉された袋３０Ｊ内の充填物（内容物）をノズル１０Ｊ経由で取り出すに際して、ノズル１０Ｊが袋３０Ｊ内を移動しないことが望ましいが、ノズル１０Ｊを袋３０Ｊ内で移動させることなく、ノズル１０Ｊを経由して袋３０Ｊ内の内容物を取り出す技術は、未だに提案されていない。
【０００６】
その他の従来技術として、袋に取り付ける取付部分と、先端側の内径が小さい小径部分を含む複数の部品でノズルを構成し、袋内の充填物をノズル経由で取り出すに際しては、先ず取付部分を袋に取り付けて、その後、当該取付部分に小径部分を連通して、袋にノズルを固定する技術が存在する。
しかし、係る従来技術では、ノズルを管理するためには、取付部分と小径部分という複数の部品を管理する必要がある。そして、資材の注入や食材の充填に際して、当該複数の部品の全てが手許に存在しないと、袋内の充填物をノズル経由で取り出すことができなくなってしまう。換言すれば、係る従来技術では、ノズルを構成する部品の管理に多大な労力が必要になる、という問題が存在する。
【０００７】
さらに、何も入っていない状態で内側からノズルを取り付けた袋（例えば、通常の生クリームの搾り出し袋）を用意して、注入あるいは搾り出すべき内容物を当該袋（何も入っていない状態で内側からノズルを取り付けた袋）に移し、ノズルから注入しあるいは搾り出す技術が存在する。
しかし、係る方法では、内容物（この場合は通常の生クリーム）を充填した袋に加えて、ノズルを取り付けた上記袋を別途用意しなければならない。
また、内容物を充填した袋から、ノズルを取り付けた袋に内容物を移す作業が必要であり、そのような作業は大変に煩雑である。
そして、係る方法（何も入っていない状態で内側からノズルを取り付けた袋を別途用意する方法）では、内容物が充填された袋から当該内容物を直接注入するという要求を満足することができない
【０００８】
さらに別の従来技術としては、例えば、液体を充填した収納袋を容器内に収容し、当該収納袋にポンプの突き刺しチューブを突き刺して、収納袋内の液体をポンプにより取り出す液体取り出し装置が提案されている（特許文献１）。
しかし、係る技術では、収納袋内の液体はポンプ吐出口から吐出されるのみであり、ノズルを用いた場合の様に高精度にて所定量を所定の箇所に注入することは困難である。
また、収納袋を容器に充填して、当該容器にポンプの突き刺しチューブを挿入しなければならないので、取り出し作業が煩雑となる。
さらに、ノズルを経由して袋内の内容物を取り出すに際して、ノズルを袋内に侵入させる必要がなく、袋内を移動させる必要がない技術の提供という上述の要請に応えることが出来ない。
【先行技術文献】
【特許文献】
【０００９】
【特許文献１】特開２０１０−９５２７８号公報
【発明の概要】
【発明が解決しようとする課題】
【００１０】
本発明は上述した従来技術の問題点に鑑みて提案されたものであり、ノズルを袋内で移動させること無く、当該ノズルを経由して袋内の内容物（充填物）を取り出す（絞り出す、排出する）ことが出来て、しかも、部品管理の労力を小さくすることが出来るような袋内の内容物取り出し方法の提供を目的としている。
【課題を解決するための手段】
【００１１】
本発明の内容物取り出し方法は、人力で破断可能な接続部（４）により接続された先端部（１）と取付部（基部：バンド部２）を有するノズル（ノズルベース１０Ｓ）の当該接続部（４）を破断する工程（図５、図６）と、
内容物（充填物：例えば、建築資材４０、食材４０ｆ）が充填された袋体（例えば、ビニール等の合成樹脂製の袋３０）の隅部（３０ｃ）を切断する工程（図７）と、
（ノズルの）先端部（１）の大径側端部（１ａ）を袋体（３０）の切断された隅部（３０ｃ）に配置し、袋体（３０）の隅部（３０ｃ）近傍の領域を先端部（１）の大径側端部（１ａ）に巻き付ける工程（図８、図９）と、
袋体（３０）の隅部（３０ｃ）近傍の領域を先端部（１）の大径側端部（１ａ）に巻き付けた状態（図１０の状態）で、（ノズルの）取付部（２）を先端部（１）の小径（１ｂ）側から被せて袋体（３０）側に移動して、先端部（１）を袋体（３０）に固定する工程（図１０、図１１）、を有することを特徴としている。
【００１２】
本発明において、（ノズル１０Ａの）先端部（１Ａ）の大径側端部（１Ａａ）近傍の外周面（１Ａｏ）及び取付部（２Ａ）の内周面（２Ａｉ）に突起（１ｔ、２ｔ）が形成されているのが好ましい。
【発明の効果】
【００１３】
上述する構成を具備する本発明によれば、先端部（１）を袋体（３０）に固定した状態で、袋体（３０）を押圧すれば、袋体（３０）の内容物（４０）はノズル（１０）の先端部（１）の小径側端部（１ｂ）から取り出すことが出来る。
そして、ノズル（１０）の先端部（１）の小径側端部（１ｂ）から袋体（３０）の内容物（４０）を取り出すことにより、内容物（４０）が流体状の建築資材であれば、当該内容物（４０）を作業現場で所定の領域に注入するに際して、当該作業現場に大型の注入用機械等を搬入することなく、袋体（３０）内の流体状の建築資材（４０）をノズル（１０）の先端部（１）の小径側端部（１ｂ）から所定の領域へ直接的に注入することが出来る。
また、調理場等においても、例えば洋菓子製造に際して生クリームを使用する場合等において、流体状の食材（４０ｆ）が充填されている袋体（３０）を人手で押圧すれば、ノズル（１０）の先端部（１）の小径側端部（１ｂ）から袋体（３０）内の食材（例えば、生クリーム４０ｆ）を絞り出す（取り出す）ことが出来る。
【００１４】
また本発明によれば、ノズル（１０）の先端部大径側端部（１ａ）を袋体（３０）の切断された隅部（３０ｃ）に配置し、袋体の隅部（３０ｃ）近傍の領域を先端部大径側端部（１ａ）の外周面に巻き付け、袋体の隅部（３０ｃ）近傍の領域を先端部大径側端部（１ａ）外周面に巻き付けた状態で、ノズル（１０）の取付部（２）を先端部（１）の小径側（１ｂ）から被せて袋体（３０）側に移動すれば、ノズル（１０）の取付部（２）が、先端部（１）に巻き付けられた袋体（３０）の領域ごと、先端部（１）の外周（１ｏ）側に嵌合し、もって、ノズル（１０）の先端部（１）が袋体（３０）に固定される。
その際に、ノズル（１０）の先端部（１）や取付部（２）を袋体（３０）内部に侵入させて、袋体（３０）内部を移動する必要が無い。そのため、内容物（４０、４０ｆ）が流動性の高い建築資材（４０）であっても、袋体（３０）に取り付けられたノズル（１０）や作業者の手（Ｈ）が建築資材で汚れてしまうことが防止される。そして、ノズル（１０）を取り付ける際に、建築資材（４０）が袋（３０）から流出してしまうという不都合も防止される。
【００１５】
また、袋（３０）内に食材が充填されている場合には、ノズル（１０）を袋内に侵入させて移動する必要が無いので、ノズル（先端部１及び／又は取付部２）表面に雑菌が付着していても、袋（３０）内の食材に雑菌が繁殖して不衛生になってしまうことが防止される。
すなわち、密閉された袋内の充填物（内容物）をノズル（１０）経由で取り出すに際して、本発明によれば、ノズル（１０）を袋体（３０）内で移動することなく、袋体（３０）に装着することが出来る。
【００１６】
さらに、本発明で使用されるノズル（１０）は、ノズルとして成形する状態（先端部１と取付部２を分離していない状態：ノズルベース１０Ｓの状態）で、先端部（１）及び取付部（基部：バンド部２）は、人力で破断可能な接続部（４）により接続されている。そのため、袋体（３０）の内容物（４０、４０ｆ）を取り出さない場合には、ノズル（１０）の先端部（１）と取付部（２）は分離しておらず、接続部（４）で接続された単一の部材となっている。
そのため、資材の注入や食材の充填に際して、先端部（１）と取付部（２）の何れかを紛失してしまうという事態は起こり得ず、ノズル（１０）を構成する部品の管理について多大な労力を必要とすることもない。
【００１７】
それに加えて、本発明によれば、袋体（３０）を収容する容器や、突き刺しチューブを具備するポンプ等を必要としないので、袋体（３０）を容器に収容する必要がなく、当該容器にポンプの突き刺しチューブを突き刺す必要もなく、袋体の内容物を取り出す作業が煩雑となることが防止される。
また、袋体（３０）の内容物（４０、４０ｆ）はノズル先端（１）の小径側（１ｂ）から取り出す（注入する）ことが出来るので、ポンプ吐出口から吐出する場合に比較して、高精度にて、所定量を所定の箇所に注入することが可能である。
【００１８】
本発明の実施に際して、（ノズル１０Ａの）先端部（１Ａ）の大径側端部（１Ａａ）近傍の外周面（１Ａｏ）及び取付部（２Ａ）の内周面（２Ａｉ）に突起（１ｔ、２ｔ）を形成すれば、（ノズル１０Ａの）取付部（２Ａ）を先端部（１Ａ）の小径側（１Ａｂ）から被せて袋体（３０）側に移動した際に、袋体（３０）に対して先端部（１Ａ）がより確実に固定される。
【図面の簡単な説明】
【００１９】
【図１】第１実施形態で用いられるノズルの正面図である。
【図２】図１のノズルの側面図である。
【図３】図１のＡ−Ａ矢視断面図である。
【図４】図２のＢ−Ｂ矢視断面図である。
【図５】第１実施形態における内容物を取り出す手順の最初の段階を示す工程図である。
【図６】図５に次ぐ手順を示す工程図である。
【図７】図６に次ぐ手順を示す工程図である。
【図８】図７に次ぐ手順を示す工程図である。
【図９】図８に次ぐ手順を示す工程図である。
【図１０】図９に次ぐ手順を示す工程図である。
【図１１】図１０に次ぐ手順を示す工程図である。
【図１２】内容物を取り出す状態を示す説明図である。
【図１３】第１実施形態の第１変形例を示す側面図である。
【図１４】図１３のＡ部拡大図である。
【図１５】第１実施形態の第２変形例を示す側面図である。
【図１６】図１５の第２変形例でノズル先端部とアタッチメントを示す部品図である。
【図１７】図１５の第２変形例でノズル先端部とアタッチメントを取り付けた状態を示す側断面図である。
【図１８】本発明の第２実施形態を示す説明図である。
【図１９】従来技術において、袋体にノズルを装着する手順を示す工程図である。
【図２０】従来技術における図１９に次ぐ手順を示す工程図である。
【図２１】従来技術における図２０に次ぐ手順を示す工程図である。
【図２２】従来技術における図２１に次ぐ工程図である。
【発明を実施するための形態】
【００２０】
以下、添付図面を参照して、本発明の実施形態について説明する。
先ず、図１〜図１２を参照して、本発明の第１実施形態について説明する。第１実施形態では、袋体３０内に流体状の建築資材が充填されている場合を示している。
図１〜図４は第１実施形態で用いられるノズル１０を示している。
なお、本明細書において、「ノズル１０」或いは「ノズル（１０）」なる文言は、先端部１と取付部２が分離される以前の状態（ノズルベース１０Ｓ）と、先端部１と取付部２に分離して、袋体３０に装着した状態の双方を包含する意味で用いられている。
一方、図１〜図１２において、符号１０Ｓは先端部１と取付部２に分離する以前の状態のノズル（ノズルベース）を示し、符号１０は、先端部１と取付部２に分離して袋体３０に装着した状態を表現している。
【００２１】
図１〜図４において、全体を符号１０Ｓで示すのは、第１実施形態において、密閉した袋体３０から内容物を取り出すために袋体３０に装着されるノズルであり、先端部１と取付部２に分離する以前の状態のノズル（ノズルベース１０Ｓ）である。
先端部１と取付部２に分離する以前の状態のノズル、すなわちノズルベース１０Ｓは、全体が中空管形状で且つテーパ形状である。上述した様に、ノズルベース１０Ｓは、直径（外径）が細い先端部１と、直径が太い取付部２を有している。
【００２２】
先端部１と取付部２は、円周方向に形成された切込部３によって、概略二分された状態となっている。換言するとノズルベース１０Ｓにおいて、先端部１と取付部２は、切込部３が形成されていない僅かな部分である接続部４によって、接続した状態に維持されている。
図５、図６で示す様に、先端部１を一方の手Ｈ１で掴み、取付部２を他方の手Ｈ２で掴んで、双方を離隔する方向に引っ張れば、接続部４は容易に破断して、先端部１と取付部２は分離した状態になる（ちぎられる）。すなわち、接続部４は人力で容易に破断する程度の強度となる様に設定されている。
【００２３】
図３、図４において、先端部１の外周１ｏと取付部２の外周２ｏは、共通のテーパ面を有している。そして、先端部１の内周１ｉと取付部２の内周２ｉも、共通のテーパ面を有している。
図３、図４で示す様に、取付部２の最大外径部（図３、図４における下端面）から先端部１の最小外径部（先端）にかけて、肉厚は直線的に減少する（漸減する）ように形成されている。
【００２４】
次に、図５〜図１２を参照して、内容物が充填された袋体３０にノズル１０を装着し、当該ノズル１０から袋体内３０ｉの内容物（充填物）４０を取り出す態様について説明する。
上述した様に、第１実施形態では袋体３０内に充填されているのは流体状の建築資材４０（図７参照：例えば、補強材を混ぜたセメントミルク）である。そして、当該袋体３０を施工現場に持ち込む。
施工現場は、例えば、大型の注入機械等を搬入できないような狭隘な路地裏である。この施工現場で、ノズル１０を袋体３０に装着する。
ただし、最初に施工現場から離れた場所でノズル１０を袋体３０に装着し、ノズル１０を装着した袋体３０を施工現場に持ち込んでも良い。
【００２５】
ノズル１０を袋体３０に装着するに際して、先ず、図５で示す手順（或いは工程）では、ノズルベース１０Ｓにおける先端部１を一方の手Ｈ１で掴み、取付部２を他方の手Ｈ２で掴む。
そして、図６の工程では、先端部１と取付部２の双方を引き離す方向に引っ張り、以って、人力によって接続部４を破断して、先端部１と取付部２を分離する。
図５、図６において、図示の簡略化のため、手Ｈ１、Ｈ２はノズル１０と比較して、より縮小して示されている。
【００２６】
図７の工程では、内容物（第１実施形態では建築資材）４０が充填された袋体３０の一隅（コーナー部）を、仮想ラインであるラインＬｃに沿って、鋏５０で切り取る。
ここで、鋏５０で切り取られた袋体３０のコーナー部の形状は、概略、二等辺三角形となるのが好適である。また、袋体３０のコーナー部を切り取った際に、当該コーナー部における開口３０ｃの大きさは、先端部１の大径側端部１ａが通る限界値程度であることが好ましい。
【００２７】
図８の工程では、先端部１を、その大径側端部１ａから袋体３０の開口３０ｃ内部に挿入する。その際、先端部１を袋体３０内に挿入する深さ（挿入深さ）は、取付部２の高さ方向寸法よりも大きな値とするのが好ましい。
そして図９の工程では、先端部１を先端部１の大径側端部１ａから袋体３０の開口３０ｃ内部に挿入した状態で、矢印Ｗ１、Ｗ２で示す様に、隅部３０ｃ近傍の袋体３０の領域を、先端部１の大径側端部１ａの外周面に巻き付ける。換言すれば、開口３０ｃ近傍における袋体３０の領域（或いは余剰部分）を、先端部１の大径側端部１ａの外周面に巻き付ける。
【００２８】
次に、図１０の工程では、取付部２を先端部１の小径側１ｂに被せて、その状態（取付部２を小径側１ｂに被せた状態）で取付部２を袋体３０側に移動する（図１０）。その結果、取付部２は、先端部１の大径側端部１ａ外周面に巻き付けた袋体３０の部分（開口３０ｃ近傍の領域或いは余剰部分）の上から、被せて装着される（図１１）。そして取付部２を、袋体３０側にさらに強く押し込んで固定する。
これにより、ノズル１０が袋体３０に装着される。
【００２９】
ノズル１０を袋体３０に装着したならば、図１２で示す様に、袋体３０内の流体状の建築資材を所定箇所に注入する。
図１２の例では、施工現場は、例えば、大型の注入機械等を搬入できないような狭隘な路地裏であり、当該路地裏には、地震の為に、路面Ｇｆに亀裂Ｇｃができている。
図１２では、亀裂Ｇｃに対して、袋体３０内の建築資材（例えば、補強材を混ぜたセメントミルク）４０が、前記ノズル１０の先端１ｂを介して注入されている。
【００３０】
建築資材４０の注入に際して、作業者はノズル１０が垂直下方を向くように、建築材料４０が充填された袋体３０を抱える。そして、作業者は両手により袋体３０を押圧し、袋体３０内の内容物（充填物）を地表Ｇｆに開口する亀裂Ｇｃに注入する（取り出す）。
図１２における符号Ｇは、路面Ｇｆを有する地盤を示す。
なお、図１２において、作業者は両手でノズル１０の近傍領域を押えているが、作業者の手により袋体３０を押圧する箇所はノズル１０近傍に限定される訳ではない。そして、袋体３０のノズル１０から離隔した箇所を押圧しても、ノズル１０が袋体３０から外れてしまうことはない。
【００３１】
第１実施形態によれば、ノズル１０を袋体３０に装着した状態で袋体３０を押圧すれば、袋体３０の内容物（建築資材）４０をノズル１０の先端部１の小径側端部１ｂから取り出す（注入し、或いは、搾り出す）ことが出来る。
そして、ノズル１０の先端部１の小径側端部１ｂから袋体３０の内容物（建築資材）４０を取り出すことにより、作業現場に大型の注入用機械等を搬入することなく、作業現場で、袋体３０内の流体状の建築資材４０を所定の領域に注入することが出来る。
【００３２】
また第１実施形態によれば、ノズル１０の先端部大径側端部１ａを袋体３０の切断された隅部の開口３０ｃに配置し、袋体の開口３０ｃ近傍の領域を先端部大径側端部１ａに巻き付けて、ノズル１０の取付部２を先端部１の小径側１ｂから被せて（挿入して）袋体３０側に移動することにより、ノズル１０の取付部２が、先端部１に巻き付けられた袋体３０の領域ごと、先端部１の外周１ｏ側に嵌合して、当該先端部１が確実に袋体３０に固定される。
その際に、ノズル１０を袋体３０内部に侵入させて、袋体３０内部を移動する必要が無い。そのため、内容物４０が流動性の高い建築資材４０であっても、ノズル１０や手Ｈが建築資材４０により汚れてしまうことが防止され、且つ、ノズル１０を袋体３０に取り付ける際に、袋体３０から建築資材４０が流出してしまうことも防止される。
そして第１実施形態では、ノズル１０を袋体３０内に侵入させることなく、また、ノズル１０を袋体３０内で移動することなく、密閉された袋内の充填物である建築資材４０をノズル１０経由で取り出すことが出来る。
【００３３】
さらに、第１実施形態で使用されるノズル１０は、先端部１と取付部２を分離する以前の状態（ノズルベース１０Ｓの状態）、先端部１と取付部２は接続部４により一体化されている。すなわち、袋体３０の内容物４０を取り出さない場合には、先端部１と取付部２は分離しておらず、接続部４で接続された単一の部材となっている。
そのため、建築資材４０の注入に際して、先端部１と取付部２の何れか一方のみを紛失することはなく、ノズル１０を構成する部品の管理に多大な労力を必要としない。
【００３４】
次に、図１３、図１４を参照して、第１実施形態の第1変形例を説明する。
ここで、本明細書における「ノズル１０Ａ」或いは「ノズル（１０Ａ）」なる文言は、先端部１Ａと取付部２Ａが分離される以前の状態（ノズルベース１０ＡＳ）と、先端部１Ａと取付部２Ａに分離して、袋体３０に装着した状態の双方を包含する意味で用いられている。なお、図１４では、先端部１Ａと取付部２Ａに分離して、袋体３０に装着した状態のノズル１０Ａが部分的に示されている。
【００３５】
一方、図１３における符号１０ＡＳは、先端部１と取付部２に分離する以前の状態のノズル（ノズルベースの状態）を示しており、図１３における符号１０Ａは、先端部１と取付部２に分離した状態のノズル（ノズルベースの状態）を示している。
第１実施形態の第1変形例では、ノズルベース１０ＡＳにおいて、先端部1Ａの下端近傍の外周１Ａｏと、取付部２Ａの内周２Ａｉに、断面が半球状の環状突出部１ｔ、２ｔが複数条形成されている点が、図１〜図１２の第１実施形態とは相違している。
【００３６】
図１３、図１４において、先端部１Ａの下端近傍には、断面が半球状の環状突出部１ｔが３条形成されている。一方、取付部２Ａの内周２Ａｉには、断面が半球状の環状突出部２ｔが２条形成されている。
なお、先端部１Ａの下端近傍における環状突出部１ｔの本数は、３条には限定される訳ではなく、複数条であれば良い。一方、取付部２Ａの内周２Ａｉにおける環状突出部２ｔは、先端部１Ａも複数条であれば良く、２条（環状突出部１ｔの条数よりも１条減じた条数）に限定される訳ではない。
【００３７】
図１４で示す様に、先端部１Ａの下端近傍に形成された３条の環状突出部１ｔには、取付部２Ａの内周２Ａｉに形成された２条の環状突出部２ｔが噛み合っている。そのため、図１３、図１４の第１変形例によれば、取付部２を先端部１の小径側１ｂから袋体３０側に移動した際に、袋体３０に対して先端部１が確実に固定される。
図１４において、図示の簡略化のため、環状突出部１ｔ、２ｔ間における袋体３０の図示を省略している。
図１３、図１４の第１変形例において、突出部１ｔ、２ｔの断面形状は半球状に限定される訳ではなく、三角形状や台形状であっても良い。また、突出部１ｔ、２ｔの一方を雄ねじとして、他方を雌ねじとして、袋体３０を挟んで雄ねじと雌ねじが螺合する様に構成することも可能である。
【００３８】
図１３、図１４の第1変形例におけるその他の構成及び作用効果は、図１〜図１２の第１実施形態と同様である。
【００３９】
次に、図１５〜図１７を参照して、第１実施形態の第２変形例を説明する。
第１実施形態の第２変形例では、図１５で示すように、ノズルシート１０ＢＳの先端部１Ｂ先端には、ねじ山形状が三角の雄ねじ１Ｂｔが形成されている。ねじ山１Ｂｔは三角ねじに限定されているものではなく、台形ねじであっても良い。
図１５において、先端部１Ｂと取付部２Ｂが分離した状態のノズルの図示は省略されており、先端部１Ｂと取付部２Ｂが分離する以前の状態のノズル（ノズルベース）が、符号１０ＢＳで示されている。そしてノズルベース１０ＢＳは、先端１Ｂと、取付部２Ｂと、切り込み部３Ｂと、接続部４Ｂとを有している。
【００４０】
図１６、図１７で示すように、雄ねじ１Ｂｔが形成された先端部１Ｂ先端には、アタッチメント７０が接続される。アタッチメント７０には細径ノズル７２が一体的に設けられ、アタッチメント７０の内部空間７０ｉには雌ねじ７０Ｂｉが形成されている。
図１６、図１７では、ノズルベース１０Ｓは示されておらず、先端部１Ｂが示されている。
図１６、図１７で示すように、アタッチメント７０の内部空間７０ｉに形成された雌ねじ７０Ｂｉが先端部１Ｂの雄ねじ１Ｂｔに螺合することにより、アタッチメント７０が先端部１Ｂの先端側（図１５〜図１７では上側）に接続される。
【００４１】
図１５〜図１７の第２変形例では、図１〜図１４のノズル１０、１０Ａでは挿入出来ないような狭い要補修箇所であっても、細径ノズル７２を有するアタッチメント７０をノズル先端部１Ｂに接続することにより、細径ノズル７２を当該要補修箇所（図１〜図１４のノズル１０、１０Ａでは挿入出来ない狭い要補修箇所）へ挿入して必要な資材を注入し、補修することが出来る。
また、細径ノズル７２を経由して生クリームのような食材を搾り出すことにより、食材を用いた微細な細工（図１〜図１４のノズル１０、１０Ａでは困難であるような細工）が可能である。
図１５〜図１７の第２変形例のその他の構成と作用効果は、図１〜図１４の実施形態と同様である。
【００４２】
次に、図１８を参照して、第２実施形態について説明する。
図１８の第２実施形態では、袋体３０に充填している内容物が流体状の食品（４０ｆ：例えば、生クリーム、或いはペースト状のチョコレート等）である点で、図１〜図１５の第１実施形態とは異なっている。
図１８では、先端部１と取付部２を分離して袋体３０に装着した状態で、食品（生クリーム）４０ｆを袋体３０から搾り出して、別の食材（例えば、スポンジケーキ）の上面に塗付している。換言すれば、図１８は、第１実施形態における図１２に相当する手順を示している。
図１８の第２実施形態では、袋体３０に充填している内容物が異なるのみであり、袋体３０に装着するノズル１０の構成は、図１〜図１２の第１実施形態と同様である。
【００４３】
図１８において、作業テーブルの上面Ｔｆには円柱状のスポンジケーキ６０が載置してある。袋体３０には、生クリーム４０ｆが充填されている。
調理者は、その片手Ｈ１で、ノズル１０が装着された袋体３０を把持している。把持している位置は、ノズル１０の上方である。
そして、袋体３０を片手Ｈ１で強く握り潰すようにして、袋体３０内に充填された生クリーム４０ｆを、ノズル１０の先端からスポンジケーキ６０の上面に塗付している。
【００４４】
第２実施形態によれば、ノズル１０を袋体３０に装着する際に、ノズル１０を袋体３０内に侵入させる必要が無いので、ノズル１０（先端部１及び／又は取付部２）の表面に雑菌が付着していても、袋体３０内の食材（生クリーム）４０ｆに雑菌が繁殖して不衛生になってしまうことが防止される。
図１８の第２実施形態におけるその他の構成及び作用効果は、図１〜図１２の実施形態と同様である。
【００４５】
図示の実施形態はあくまでも例示であり、本発明の技術的範囲を限定する趣旨の記述ではないことを付記する。
例えば、図１８の第２実施形態において、図１３〜図１７で示す様な変形例を適用することが可能である。
【符号の説明】
【００４６】
１・・・先端部
２・・・取付部
３・・・切込部
４・・・接続部
１０・・・ノズル
１０Ｓ・・・ノズルベース
３０・・・袋体
３０ｃ・・・切断された隅部
４０・・・内容物／充填物／建築資材
５０・・・鋏
【図１】
2013212872.tif 000003
【図２】
2013212872.tif 000004
【図３】
2013212872.tif 000005
【図４】
2013212872.tif 000006
【図５】
2013212872.tif 000007
【図６】
2013212872.tif 000008
【図７】
2013212872.tif 000009
【図８】
2013212872.tif 000010
【図９】
2013212872.tif 000011
【図１０】
2013212872.tif 000012
【図１１】
2013212872.tif 000013
【図１２】
2013212872.tif 000014
【図１３】
2013212872.tif 000015
【図１４】
2013212872.tif 000016
【図１５】
2013212872.tif 000017
【図１６】
2013212872.tif 000018
【図１７】
2013212872.tif 000019
【図１８】
2013212872.tif 000020
【図１９】
2013212872.tif 000021
【図２０】
2013212872.tif 000022
【図２１】
2013212872.tif 000023
【図２２】
2013212872.tif 000024